(57)【要約】      （修正有）【課題】プラスチック離れを可能な限り具体化し、エコロジー化に努力し、サイズは掌中に納まるほど小型化し、毛束の密な植毛を抑え、磨き剤やコップや水を一切使用せず、歯間や歯周に付着した食物咀嚼残渣やプラークをきめ細かく丁寧に無理なく除去することを主眼にし、利き腕の指先動作だけで何時でも何処でも自在な歯磨き操作ができる歯ブラシを提供する。【解決手段】歯ブラシのブラシ台平面中央部に広く植毛しない部位として少ない毛先を歯間や歯周に当て易くするのに有効なブラシ幅として、密植を避けして平らな無地面や底に抜ける通孔部位等を設けた間１をもうけ、間１の周りの枠２に、細く長い毛と短い毛を混ぜた毛束３を点々と１巡だけ植毛し、枠２の外側から伸ばした柄４の先には少し括れて出した止孔付きの軸を出した汎用性在るブラシ台を構成する。【選択図】図１
2016112380.tif 000002
【特許請求の範囲】
【請求項１】
歯ブラシについて、ブラシ台Ａとハンドル台Ｂ、ハンドル台Ｂ２とリングストラップブ１４を設け、それらに互換性が成るよう構成し、できで、ブラシ面に間１を設け、少ない毛束３で効率よく歯間や歯周を、磨き剤やコップや水を一切使わず、短いブラシの後背部を３本の指で軽く摘まむように扱うブラシ操作でえるようにし、リングストラップ１３を装着すると、指先操作が一層確かに成り扱い易くなるようにし、省エネ化、エコロジー化、に最も適した構成に成り、  老若男女でも着脱組立てが容易に出来る安全で、きめ細かく丁寧にブラシングする喜びを実感できる仕組みに構成した歯ブラシとその装置。
【発明の詳細な説明】
【技術分野】
【０００１】本発明は、歯間歯周を狙って磨く省エネ化エコロジー化した家庭用歯ブラシに関する。
【背景技術】
【０００２】  従来の一般家庭用プラスチック製の歯ブラシは、大型でブラシ面は隙間が無いほど毛束が密に植毛され、柄は太く長く丈夫に作られ、柄を握りしめ毛束を歯面に当て肩や肘を動かしゴシゴシと使用するのに適し、毛束の先を歯間や歯周に当て細かく丁寧に磨く事が難しく歯周に付着した食物の咀嚼残渣等を掃い難い構成にしてあり、しかも、毛束が曲がったら簡単に使い捨てされている。【０００３】  また、上記の歯ブラシの一般的な動作は、洗面所において１日に１回から３回前後、歯ブラシの先に磨き剤を着け、水とコップを用意して行うが、煩雑な不便さが伴うから多忙な方々には、永年伝わる生活習慣であっても有難くない動作であり、歯ブラシに対する愛着は失せ、洗面所の飾り物として置いて在るが、愛用されている気配が無い。
【先行技術文献】
【非特許文献】
【０００４】  本発明出願者は、歯の健康の必要を力説しようとして恥ずかしながら歯ブラシに関わる出願を多数拙い出願を行っています直近では特願２０１４−１８５６５３等、甚だ浅学未熟であり、毎度ご迷惑な申請で迷惑をお掛けしています。本件を含めて専門の方々にお願いして補正するなどの提出をいたすべきと考えています。
【発明の概要】
【発明が解決しようとする課題】
【０００５】  以上に述べた従来太くて長い歯ブラが、世界中で購入されては廃棄されている現状を想像すると、莫大な量のプラスチックが無駄に扱われていると思われる、資源の無駄使いをしない省エネ化、可能な限りエコロジー化を計り、愛着、愛用に値する歯ブラシを登場させる必要がある、魅力ある歯ブラシを登場させるチャンス到来と捕らえ、新しい歯磨き生活文化の構築に配信すべく、背景技術と昨今の歯磨き事情に在る難しい問題を念頭に、三方よしの解決となる技術の提供をし、進歩的歯ブラシの出現が喫緊の課題である。【０００６】  また、プラスチック製歯ブラシが誕生する前は、木竹の台に獣の毛を植毛した歯ブラシで在った、本発明に於ける歯ブラシにおいては、時勢に在った歯ブラシの技術と歯磨き生活を真剣に考え、歯ブラシと歯磨き生活が、命と歯を守り、健康な心身を守り育てる事と非常に深い関係があると思料するので、従来の歯ブラシと歯磨き動作が例え百年前から伝わる伝承の文化といえども、環境が激変する今日においては、敬遠されても仕方が無い煩雑な動作を伴う歯ブラシを放置する事は出来ない。【０００７】  また、従来歯ブラシを使った歯磨き効果は、歯列の前面後面全体を、束子でゴシゴシ磨くのに適し、歯の面をピカピカにする効果を期待する傾向に偏っていて、歯間や歯周に付着した食物咀嚼残渣やプラークの除去がおろそかにされ易い物であった。【０００８】  本発明は、このような従来の構成が有していた問題を解決しようとするものであり、プラスチック離れを可能な限り具体化し、エコロジー化に努力し、サイズは掌中に納まるほど小型化し、毛束の密な植毛を抑え、磨き剤やコップや水を一切使用せず、歯間や歯周に付着した食物咀嚼残渣やプラークをきめ細かく丁寧に無理なく除去することを主眼にし、利き腕の指先動作だけで何時でも何処でも自在な歯磨き操作ができる歯ブラシを目的とするものである。
【課題を解決するための手段】
【０００９】  そして、本発明は上記目的を達成するために、歯ブラシの構成と歯ブラシの使い方を含めた全体をエコロジー化し、歯の健康を守り育てることに役立ち進んで愛用される歯ブラシ、歯磨き動作、と代々受け継がれる歯磨き生活文化を起すべきと考察し、歯ブラシのブラシ台平面中央部に広く植毛しない部位として少ない毛先を歯間や歯周に当て易くするのに有効なブラシ幅として、密植を避けして平らな無地面や底に抜ける通孔部位等を設けた間１をもうけ、間１の周りの枠２に、細く長い毛と短い毛を混ぜた毛束３を点々と１巡だけ植毛し、枠２の外側から伸ばした柄４の先には少し括れて出した止孔５付きの軸６を出した汎用性在るブラシ台Ａと、【００１０】  ハンドル台正面に前記の軸６が嵌まる取手１５に溝７を設け、蝶番８で溝７を塞ぐ突起９付きの蓋１０を設け、台の背面中央から台の正面を結ぶ途中から平面上に抜けて前後に口を設けた管１１を設けた汎用性在るハンドル台Ｂ１と、【００１１】  紐をリング状にして均等に折った左右の先に小リング１２を其々嵌め、嵌った左右の小リング１２に、手の指が１本入る程度の着脱可能な指リング１３を設けて順に連ね、紐とリングを輪状に繋いだ汎用性在るリングストラップ１４を設け、【００１２】  ハンドル台Ｂ１の取手１５に在る管１１の前後に在る口に、リングストラップ１４の小リング１２の一方を外して出た紐先を管１１に通し、一方の口から出した紐先に再び小リング１２を嵌めた取手１５を設けた、汎用性在るハンドル台Ｂ２を設け、【００１３】  ハンドル台Ｂ１の溝７にブラシ台Ａの軸６を挿入し、ハンドル台Ｂ１の蓋１０を閉じ、突起９を止孔５に嵌めて安定させて成る本体歯ブラシを設け、【００１４】  ハンドル台Ｂ２の溝７にブラシ台Ａの軸６を挿入し、ハンドル台Ｂ２の蓋１０を閉じ、突起９を止孔５に嵌めて安定させて成る歯ブラシを設ける。【００１５】  前記の構成から成る本体歯ブラシにおいては、指先操作にリングを使用しなくても良い方々に提供し、歯ブラシにおいては、指先操作において、小指薬指の強い握力の支えは安定して歯ブラシを指先で操作できるから、磨きたいと狙った歯周ポイントにブラシを当てる歯間に入れ捻るようにこねたり押したり引いたりの指先操作が容易に行えて、きめ細かく丁寧なブラッシングを可能にした。上記、従来歯ブラシに在る問題点を解決する構成にして、効果を挙げるようにしたものである。【００１６】  本体歯ブラシや歯ブラシにおける、ブラシ台とハンドル台の着脱装置を退け、掌に収まるほどの１本の台上に毛束３を植毛し取手に管を１１設け、本体歯ブラシと類似した類似本体歯ブラシを設けるのも良いし、類似本体歯ブラシにリングストラップ１３を装着した類似歯ブラシを設け提供するのも良い。【００１７】  経済性を考慮すると、上記よりも使用するプラスチックの量が増えて省エネ効果等が減るが、歯磨き動作において歯磨き効果において同じ効果が在るから、１本のプラスチックに上記の如きブラシ面が在り取手部位を短くするのも良いし、リングストラップ１４を備えた歯ブラシにするのも良い。【００１８】  ブラシ台Ａの軸６に在る止孔５を増減したり、リングストラップ１４の指リング１３を増減したり、小リング１２を増減したり、���先だけで操作する歯ブラシの提供も良い。【００１９】  初めから、プラスチックスの使用をブラシ面に植毛する毛束３以外には使用しない、木竹、金属、セラミック、とそれらとの合成剤を用いたα剤等から成る上記とも汎用性在るブラシ台Ａα、とハンドル台Ｂ１α、ハンドル台Ｂ２αにして成る、本体歯ブラシＣαや歯ブラシＤαの提供も良いし、本発明歯ブラシにおいては、頗るシンプルであるから、エコロジーに徹し、獣から選んだブラシの毛束３を木竹の台に植毛し、ハンドル台においてもシンプルであるから、木竹を加工して提供するのも良いし、エコロジーな素材を選び加工技術を駆使した優秀な良品の歯ブラシの提供も良い。【００２０】  ブラシ台のブラシ面に植毛する毛束３の数や間１の配置に付いて、若干異なる毛束３の数や間１の配置を変えるのも良いし、毛束の質など種々そろえるのも良いし、ブラシ面から括れて伸ばした際のネック部位の平面に合成ゴムを添付し、タバコの灰皿に灰を落とすように、ブラシ面に目視された咀嚼残渣等を振り落とす場合の小さな振動音の緩衝効果として採用するのも良い。
【発明の効果】
【００２１】  上述したように本発明の本体歯ブラシと歯ブラシは、シンプルな構造にし、プラスチックの使用を極力抑え省エネ化エコロジー化するとともに、歯周を狙って磨け、動作においは、指先だけを巧みに動かし、磨き剤や水の使用をしないで良い、何時でも何処でも咄嗟に使うことができる等、歯を守る歯ブラシとして著しい効果が在る。【００２２】  また、歯周に毛束が入りやすい構成であるし、指先だけの操作で歯ブラシの毛先を狙った歯周等に当てやすいし、毛先で異物が掃われたかどうか、歯の状態が清潔になっているかどうかが非常に良く判るようになるし、食感が鋭くなり、日々の飲食が楽しくなる。【００２３】  また、全体をシンプルに構成したから、省エネ化、エコロジー化した歯ブラシを器用な人なら全て手製で賄う事も可能であるから、希望が多ければ、半製品を提供し、手芸でイメージを広げられる楽しい民芸歯ブラシの出現に向けた助力の展開も良い。【００２４】  また、使い始めるといつの間にか生活習慣になり、歯を汚すたびに使いたくなり、歯磨き回数は従来の数倍になるから、歯科衛生において著しい効果を発揮し、省エネとエコロジーな効果と、安価に提供できる、歯科治療費の減少等の経済効果も著しい。
【図面の簡単な説明】
【００２５】
【図１】本発明の歯ブラシのＡ−Ａを示す略断面図
【図２】同歯ブラシの略平面図
【図３】同歯ブラシの略底面図
【図４】本体歯ブラシの略平面図
【図５】リングストラップの略平面図
【図６】ブラシ台Ａの略平面図
【図７】ブラシ台Ａの略底面図
【図８】ブラシ台Ａの左右対称に現れる略左側面図
【図９】ハンドル台Ｂ１の略平面図
【図１０】ハンドル台Ｂ１の略底面図
【図１１】ハンドル台Ｂ１の左右対称に現れる略左側面図
【図１２】ハンドル台Ｂ２の略平面図
【発明を実施するための形態】
【００２６】以下、本発明の実施の形態を図１〜図１２に基づいて説明する。
【００２７】  図において、図１は本発明の歯ブラシであり、その構成の動作を説明する。着脱するブラシ台Ａの軸６を着脱するハンドル台Ｂ２の溝７に差込んでブラシ台Ａの止孔５にハンドル台Ｂ２の突起９を嵌めながら蓋１０を開閉する蝶番８を回して閉じて装着した歯ブラシが成り、装着の解除は、蓋１０を開け、柄４の軸６を抜くだけで成る。
【００２８】  以下、上記構成の動作を説明する。ブラシ台Ａとハンドル台Ｂとハンドル台Ｂ２とリングストラップ１４は其々着脱互換性汎用性があり、着脱が容易で丈夫であるから、消耗品の毛束３があるブラシ部分が消耗したら、次々廃棄するが、取手１５とリングストラップ１４は容易に消耗しないから、省エネに良い。
【００２９】  また、間１を設けてブラシ面の毛束３少なくしたので、細いブラシ毛束３の先が歯間や歯周に入りやすくして、食物残渣を払いやすくしたから歯磨き効果が良いし、掌に収まる程度に短くし、指先で歯ブラシの取手１５の端操を親指人差し指中指の先に添える程度で操作できるようにしたから、携行に便利で、磨きたい歯のポイントにブラシ先を当てるコントロールが誰にでも出来るように成り、きめ細かく念入りな歯磨き生活ができるようになり、歯を汚したら敏感に判るようになり、食事や間食がすんだら歯の周りを掃わずには収まらないほど、歯磨き回数が増えて、歯科衛生状態は著しく改善が進む。
【００３０】  また、ハンドル台の構成が示すように、いたって簡単な構成であるから、専門家に依頼しなくても自家製のハンドル台を趣味と実益を兼ねて作る事が容易であるがら、ブラシ台の購入だけで、歯磨き生活をする方々の期待に沿える。
【００３１】
【符号の説明】
【００３２】１    間
２    枠
３    毛束
４    柄
５    止孔
６    軸
７    溝
８    蝶番
９    突起
１０  蓋
１１  管
１２  小リング
１３  指リング
１４  リングストラップ
１５  取手
【図１】
2016112380.tif 000003
【図２】
2016112380.tif 000004
【図３】
2016112380.tif 000005
【図４】
2016112380.tif 000006
【図５】
2016112380.tif 000007
【図６】
2016112380.tif 000008
【図７】
2016112380.tif 000009
【図８】
2016112380.tif 000010
【図９】
2016112380.tif 000011
【図１０】
2016112380.tif 000012
【図１１】
2016112380.tif 000013
【図１２】
2016112380.tif 000014